(57)【要約】      （修正有）【課題】ポケットティッシュ中に納められているティッシュペーパーを引っ張り出すときに、ティッシュペーパーの取出し口を拡げた状態を容易に維持でき、ティッシュペーパーを容易且つ迅速に取り出すことできるポケットティッシュのカバーを提供する。【解決手段】基板部２と押え板部４とでポケットティッシュを挟むものであり、両押え板部４は、それらの自由端部６の少なくとも中央付近の所定の長さの範囲において、両自由端部の間に所定の間隔が設けられるように形成されており、基板部２は、基板部の内面が凸となるように弾力的に曲げることが可能で且つ元の状態に自動的に復帰可能であるように形成する．【選択図】図１
2014239804.tif 000002
【特許請求の範囲】
【請求項１】
切り開き可能なミシン線等の切込み線を有する包装袋にティッシュペーパーが包装されたポケットティッシュに用いるカバーであって、可撓性を有する弾性薄板で形成され、基板部の両側からＵ字状の折り曲げ部を介して前記基板部に対向するように連続する押え板部を有し、基板部と押え板部とで包装袋の切込み線を中心としてその両側でポケットティッシュを挟むものであり、両押え板部は、それらの自由端部の少なくとも中央付近の所定の長さの範囲において、双方の自由端部の間に所定の間隔が設けられるように形成されており、基板部は、基板部の内面が凸となるように弾力的に曲げることが可能で且つ元の状態に自動的に復帰可能であるように形成されていることを特徴とするポケットティッシュに用いるカバー。
【請求項２】
それぞれの押え板部の自由端部に凹部を形成することにより、その凹部の両側に、該凹部によって分割された２つの自由端部が存在する請求項１記載のカバー。
【請求項３】
基板部は、その中央部分が、その両側部分よりも撓み易い易可撓性を有するように形成されている請求項１又は請求項２記載のカバー。
【請求項４】
挟まれたティッシュペーパーの切込み線の方向を長さ方向として、基板部の中央部分の長さを、その両側部分の長さよりも短くすることによって、中央部分をその両側部分よりも撓み易い易可撓性を有するように形成した請求項３記載のカバー。
【請求項５】
カバーの長さは、そのカバーに挟まれるべきポケットティッシュの長さよりも短い請求項１乃至請求項４のいずれか一項記載のカバー。
【請求項６】
押え板部の自由端部と、基板部との間隔を、折り曲げ部の最大厚みよりも小さくした請求項１乃至請求項５のいずれか一項記載のカバー。
【請求項７】
カバーの内面中、少なくとも、両押え板部の自由端部の内面に滑り止め部を形成した請求項１乃至請求項６のいずれか一項記載のカバー。
【発明の詳細な説明】
【技術分野】
【０００１】
本発明は、包装袋にティッシュペーパーが包装されたポケットティッシュに用いるカバーに関する。
【背景技術】
【０００２】
包装袋にティッシュペーパーが包装されたポケットティッシュに用いるカバーについては、特開２０１２−４１０６６号公報にポケットティッシュケースとして開示されている。この出願に係るポケットティッシュケースは、長方形状の皮革、合成皮革やフェルトなどの厚手の不織布などから構成されており、ティッシュペーパーを取り出すための取出し口が設けられている。そして、この取出し口は長円形に形成されている。取出し口からティッシュペーパーを取り出すときは、取出し口から覗いているポケットティッシュの既に切断されている切込み線を指先で拡げ、その拡げた状態を維持しながらティッシュペーパーを引っ張り出すのである。ポケットティッシュはほぼケースに覆われていて、長円形の取出し口から切込み線とその両側の部分が覗いているだけであるから、ティッシュペーパーを取り出す際、切込み線を拡げるためにポケットティッシュの包装袋に宛がわれた指先は、少し移動しただけですぐにケースの表面に当たってしまい、それ以上、切込み線を拡げることができない。そこで、親指と人差し指など2本の指先で切込み線に沿った部分を摘まんで引っ張る必要があり、迅速にティッシュペーパーを引っ張り出すことができない。さらに、ティッシュペーパーを取り出す際に、一体に形成されている蓋をめくり上げる必要がある。このように、この出願に係るポケットティッシュケースは、ティッシュペーパーを取り出すために種々の細かな作業が必要であり、高齢者などには手間のかかる作業となる。
【０００３】
また、この公報には、従来のポケットティッシュケースとして、図１１に、前面の中央に長手方向全長に延びるスリット状の取出し口を備えたケースが示されている。このケースの詳細な構成については言及されていないが、スリット状の取出し口を備えていて、この取出し口からポケットティッシュ内のティッシュペーパーを取り出したり、また、使用済みのポケットティッシュを取り出し口から取出して、その取り出し口から新しいポケットティッシュを中に押し込む構成であることについて記載されている。この公報に開示されているケースは、通常ポケットティッシュ入れと呼ばれている。これは、主に女性がハンドバッグなどにポケットティッシュを入れておいて外出先で使用するときに、ポケットティッシュをむき出しのまま取り出すことのないようにおしゃれに形成されたものであり、模様が付された布や皮革や合成樹脂シートなど柔軟性を有するシート状材料で袋状に構成されている。このケースからティッシュペーパーを引っ張り出すときは、まずケースの取出し口を拡げ、次いでポケットティッシュの既に切断されている取出し口を拡げてから、それら双方の取出し口を拡げた状態に維持しながらティッシュペーパーを引っ張り出さなければならず、手間がかかるのである。
【０００４】
このように、特開２０１２−４１０６６号公報に記載されているポケットティッシュケースは、それに記載されている従来例も含めて、ケースの取出し口からティッシュペーパーを取り出す作業に手間がかかり、特に高齢者にとって扱いづらいものである。
【先行技術文献】
【特許文献】
【０００５】
【特許文献１】特開２０１２−４１０６６号公報
【発明の概要】
【発明が解決しようとする課題】
【０００６】
従来のポケットティッシュ用のカバーは、中に納められているティッシュペーパーを引っ張り出すときに、ポケットティッシュやケースに形成されているティッシュペーパーの取出し口を指先で拡げた状態に維持することが必要であり、手間がかかり、ティッシュペーパーを容易且つ迅速に取り出すためには不十分な構成であった。
【課題を解決するための手段】
【０００７】
請求項１記載の発明は、切り開き可能なミシン線等の切込み線を有する包装袋にティッシュペーパーが包装されたポケットティッシュに用いるカバーであって、可撓性を有する弾性薄板で形成され、基板部の両側からＵ字状の折り曲げ部を介して前記基板部に対向するように連続する押え板部を有し、基板部と押え板部とで包装袋の切込み線を中心としてその両側でポケットティッシュを挟むものであり、両押え板部は、それらの自由端部の少なくとも中央付近の所定の長さの範囲において、双方の自由端部の間に所定の間隔が設けられるように形成されており、基板部は、基板部の内面が凸となるように弾力的に曲げることが可能で且つ元の状態に自動的に復帰可能であるように形成されている構成である。
【０００８】
請求項２記載の発明は、それぞれの押え板部の自由端部に凹部を形成することにより、その凹部の両側に、該凹部によって分割された２つの自由端部が存在する構成である。
【０００９】
請求項３記載の発明は、基板部の中央部分が、その両側部分よりも撓み易い易可撓性を有するように形成されている構成である。
【００１０】
請求項４記載の発明は、挟まれたティッシュペーパーの切込み線の方向を長さ方向として、基板部の中央部分の長さを、その両側部分の長さよりも短くすることによって、中央部分をその両側部分よりも撓み易い易可撓性を有するように形成した構成である。
【００１１】
請求項５記載の発明は、カバーの長さが、そのカバーに挟まれるべきポケットティッシュの長さよりも短い構成である。
【００１２】
請求項６記載の発明は、押え板部の自由端部と、基板部との間隔を、折り曲げ部の最大厚みよりも小さくした構成である。
【００１３】
請求項７記載の発明は、カバーの内面中、少なくとも、両押え板部の自由端部の内面に滑り止め部を形成した構成である。
【発明の効果】
【００１４】
請求項１記載の発明は、両押え板部が、それらの自由端部の少なくとも中央付近の所定の長さの範囲において、双方の自由端部の間に所定の間隔が設けられるように形成されており、基板部は、その内面が凸となるように弾力的に曲げることが可能に形成されている。本発明のカバーは、切り開き可能なミシン線等の切込み線を有する包装袋にティッシュペーパーが包装されたポケットティッシュを挟んで使用するものである。ポケットティッシュの切込み線は、ポケットティッシュをカバーに挟んでから切り開いてもよいし、ポケットティッシュをカバーに挟む前に、あらかじめポケットティッシュの切込み線を切り開いておいてもよい。そして、切込み線を切り開いたポケットティッシュからティッシュペーパーを取り出すときは、まず、基板部をその内面が凸となるように曲げる。これにより、カバーに挟まれていたポケットティッシュは、切込み線がある側が凸となるように反るので切込み線が自然に開く。また、両押え板部は、それらの自由端部の少なくとも中央付近の所定の長さの範囲において、両自由端部の間に所定の間隔が設けられている。したがって、その間隔からティッシュペーパーが覗き、しかもティッシュペーパーは凸に反っているから、切込み線から覗くティッシュペーパーの折り畳み縁部が浮き上がるので、折り込み縁部を指先で容易に摘まむことができて、容易且つ迅速にティッシュペーパーを引っ張り出すことができる。
【００１５】
請求項２記載の発明は、それぞれの押え板部の自由端部に凹部を形成することにより、その凹部の両側に、該凹部によって分割された２つの自由端部が存在する。したがって、これら分割された自由端部によりポケットティッシュを挟むことができると共に、両凹部の間で切込み線から覗くティッシュペーパーの折り畳み縁部を摘まんで容易に引っ張り出すことができる。
【００１６】
請求項３記載の発明は、基板部は、その中央部分が、その両側部分よりも撓み易い易可撓性を有するように形成されている。したがって、基板部の内面が凸となるように曲げたときに、基板部はその中央部分で容易に曲がり、その両側の部分は曲がりづらいので、基板部を曲げたときの形状はほぼ三角形となり、円弧状とはならない。このため、カバーに挟まれているポケットティッシュも円弧状に平均的に曲がるのではなく、切込み線を頂点として三角形に曲がるから頂点部分の曲がり度合いが大きくなり、ポケットティッシュの切込み線を十分に開かせることができ、切込み線から覗くティッシュペーパーの折り畳み縁部の浮き上がりが増すのでティッシュペーパーを容易に引っ張り出すことができる。
【００１７】
請求項４記載の発明は、挟まれたティッシュペーパーの切込み線の方向を長さ方向として、基板部の中央部分の長さを、その両側部分の長さよりも短くすることによって、中央部分をその両側部分よりも撓み易い易可撓性を有するように形成したものである。したがって、易可撓性を付与するために基板の中央部分の厚みを薄くするような面倒な加工が必要なく、余計なコストをかけずに易可撓性を付与することができる。
【００１８】
請求項５記載の発明は、カバーの長さが、そのカバーに挟まれるべきポケットティッシュの長さよりも短い。したがって、ポケットティッシュを挟むべき面積が狭くなるので、ポケットティッシュを挟む作業に手間がかからない。仮に、カバーとポケットティッシュの長さを同じにすると、カバーに挟んだポケットティッシュの一方がカバーからはみ出したときに、はみ出した部分を押してもポケットティッシュは押しつぶされて変形するだけでポケットティッシュを移動させることができない。本発明のように、ポケットティッシュの方が長ければ、ポケットティッシュの両端がカバーからはみ出すので、いずれかの端部を引っ張ることによりポケットティッシュの位置を容易に調節できる。
【００１９】
請求項６記載の発明は、押え板部の自由端部と、基板部との間隔を、折り曲げ部の最大厚みよりも小さくしたものである。したがって、押え板部の自由端部がポケットティッシュを弾力的に押さえるので、ティッシュペーパーを引っ張り出すときにポケットティッシュが一緒に引き出されることを確実に防止できる。
【００２０】
請求項７記載の発明は、カバーの内面中、少なくとも、両押え板部の自由端部の内面に滑り止め部を形成したものである。したがって、滑り止め部によって、ティッシュペーパーを引っ張り出すときにポケットティッシュが一緒に引き出されることを確実に防止できる。
【図面の簡単な説明】
【００２１】
【図１】実施例１の斜視図
【図２】実施例１の長さ方向の端面図
【図３】実施例１の使用状態を示す平面図
【図４】カバー及びポケットティッシュを曲げた状態を示す長さ方向の端面図
【図５】カバー及びポケットティッシュを曲げた状態を示す平面図
【図６】実施例２の分解図
【図７】実施例２の平面図
【図８】実施例２の長さ方向の端面図
【図９】図７におけるＡ−Ａ断面図
【図１０】実施例２の底面図
【図１１】実施例３の使用状態図
【発明を実施するための形態】
【００２２】
本発明の実施をするための形態を、以下に示す実施例に基づき説明する。
【実施例１】
【００２３】
図１乃至図５は実施例１を示す。カバー１は、可撓性を有する弾性薄板で一体に形成されている。材料はＰＰ樹脂が使用されるが、これに限定されるものではなく薄板に形成したときに可撓性と弾性を有するものであればどのような合成樹脂等であっても差し支えない。カバー１は、その基板部２の両側にＵ字状の折り曲げ部３，３を有し、その折り曲げ部３，３を介して押え板部４，４が基板部２の内面と対向するように形成されている。
【００２４】
基板部２は、その両端の中央部分にそれぞれ切込み凹部５，５が形成されている。切込み凹部５，５を形成することにより、その部分の基板部２の長さが短くなる。これにより、基板部２の、切込み凹部５，５の間の部分を易可撓性とすることができる。すなわち、基板部２の中央に易可撓性を有する易可撓部１２が形成される。
【００２５】
押え板部４の自由端部６に凹部７を形成することにより、その凹部７の両側に、その凹部によって分割された２つの自由端部６，６が存在する。それぞれの押え板部４に存在する自由端部６，６同士は所定の間隔をあけて対向している。また、押え板部４の自由端部６，６に凹部７を形成することにより、それぞれの凹部７，７に囲まれた広間隔領域８が形成されている。この広間隔領域８により、その部分からのティッシュペーパーの取出しが容易となる。なお、本発明において、自由端部６，６の間に所定の間隔を設けることは必要であるが、押え板部４に凹部７を形成しなくてもよいことは勿論である。また、自由端部６に凹部７を形成する場合には、双方の押え板部４の自由端部６，６の間に間隔を設けなくてもよい。
【００２６】
押え板部４は、折り曲げ部３から自由端部６方向に行くに従って、基板部２に対して徐々に下がるように傾斜している。したがって、自由端部６と基板部２との間隔は、折り曲げ部３の最大厚みよりも小さい。これにより、基板部２と押え板部４との間に挟まれたポケットティッシュは適度な圧力で自由端部６に押されるので、挟まれたポケットティッシュがカバー１から自然に落下したり、ティッシュペーパーを引っ張り出すときにポケットティッシュが一緒に出たりすることを効果的に防止できる。また、４つの自由端部６の内面にエラストマーテープを貼付したり、エラストマーの層を形成するなどして、滑り止め効果を生じさせることが好ましい。このようにすることによって、押え板部４を基板部２に対して傾斜させなくてもポケットティッシュが落下したり、ティッシュペーパーを引っ張り出すときにポケットティッシュが一緒に出たりすることを効果的に防止できる。また、折り曲げ部３の外周面に滑り止めのためのローレットを設けることが好ましい。これにより、折り曲げ部３の外周面に指を当ててカバー１を折り曲げるときに、指が滑ることを効果的に防止できる。
【００２７】
次に、実施例１のカバー１の使用方法について説明する。まず、ポケットティッシュ９の包装袋１０に設けられているミシン線１１を切り裂く。次いで、そのポケットティッシュ９をカバー１の基板部２と押え板部４との間に挟む。挟み方は、カバー１の端部から基板部２と押え板部４にポケットティッシュ９を挿入して行く方法でもよく、双方の押え板部４の自由端部６，６の間から押し込む方法でもよい。ポケットティッシュ９をカバー１に挟んだら、図４に示すようにカバー１を折り曲げる。このとき、基板部２は、その中央の易可撓部１２を中心として屈曲するので、カバー１及びポケットティッシュ９は三角形をなすように曲がるから、頂点の部分にあるポケットティッシュのミシン線１１は自動的に大きく開く。また、ティッシュペーパー１３も頂点の部分で急激に曲がるので、開いたミシン線１１から覗くティッシュペーパー１３の折り畳み縁部１４が浮き上がる。したがって、その浮き上がった折り畳み縁部１４を摘まんで引っ張ることにより、ティッシュペーパー１３を容易に取り出すことができる。使用後は、カバー１を折り曲げていた力を緩めると、カバー１は元の状態に復帰し、ハンドバッグなどに納めることができる。ティッシュペーパー１３が少なくなったときは、新しいポケットティッシュを古いポケットティッシュの下側に挟んで使用する。
【００２８】
次に、本実施態様のサイズについて説明する。カバー１の長さは約６８ｍｍであり、横幅は約８４ｍである。折り曲げ部３の最大厚みは約８．５ｍｍであり、押え板部４の自由端部６と、基板部２との間隔は約５ｍｍである。押え板部４，４の双方の自由端部６，６の間の間隔は約１０ｍｍである。サイズは以上の通りであるが、本発明がこれらの数値に限定されないことは勿論である。
【実施例２】
【００２９】
図６乃至図１０は実施例２を示す。実施例２は、実施例１の基板部２が２つ分離されたものであって、２つの基板部１５，１６を結合して使用する。実施例２は、基板部が分離していること以外の構成については実施例１と同じであるので、分離された基板部１５，１６について説明する。図６に示すように、一方の基板部１５は連結板部１７を有し、この連結板部１７は基板部１５の底面に貼着されている。さらに、連結板部１７の先端付近に係止突起１８が形成されている。また、図９及び図１０に示すように、他方の基板部１６の底面にはスペーサー板１９，１９を介して底板２０が取り付けられている。この底板２０と基板部１６との間に隙間２１が形成され、この隙間２１に一方の基板部１５の連結板部１７を挿入し、係止突起１８を底板２０の縁部に係止することにより、両基板部１５，１６は結合されて、カバーとして使用することができる。
【実施例３】
【００３０】
図１１は実施例３を示す。この実施例３は、挟まれたポケットティッシュ９が押え板部２２，２３の自由端部２４，２５の間から抜け出すことを確実に防止する構成を備えている。すなわち、一方の押え板部２２の自由端部２４，２４に長片部２６，２６を設け、その長片部２６，２６を他方の押え板部２３に形成したスリット２７，２８に挿通させることにより、この長片部２６，２６によってポケットティッシュ９がカバー１から外れることを確実に防止することができる。
【産業上の利用可能性】
【００３１】
両押え板部のそれぞれの自由端部の間に所定の間隔が設けられることにより、ポケットティッシュ内のティッシュペーパーの取出しを容易とし、基板部の内面が凸となるように基板部を弾力的に曲げることを可能とすることにより、ポケットティッシュの切込み線を自動的に開いて、さらにティッシュペーパーの取出しが容易であるポケットティッシュのカバーとすることができる。
【符号の説明】
【００３２】
１  カバー、    ２  基板部、    ３  折り曲げ部、    ４  押え板部、    ５  切込み凹部、    ６  自由端部、    ７  凹部、    ８  広間隔領域、    ９  ポケットティッシュ、    １０  包装袋、    １１  ミシン線、    １２  易可撓部、    １３  ティッシュペーパー、    １４  折り畳み縁部、    １５  基板部、    １６  基板部、    １７  連結板部、    １８  係止突起、    １９  スペーサー板、    ２０  底板、    ２１  隙間、    ２２  押え板部、    ２３  押え板部、    ２４  自由端部、    ２５  自由端部、    ２６  長片部、    ２７  スリット、    ２８  スリット
【図１】
2014239804.tif 000003
【図２】
2014239804.tif 000004
【図３】
2014239804.tif 000005
【図４】
2014239804.tif 000006
【図５】
2014239804.tif 000007
【図６】
2014239804.tif 000008
【図７】
2014239804.tif 000009
【図８】
2014239804.tif 000010
【図９】
2014239804.tif 000011
【図１０】
2014239804.tif 000012
【図１１】
2014239804.tif 000013
【手続補正書】
【提出日】平成26年7月16日(2014.7.16)
【手続補正１】
【補正対象書類名】明細書
【補正対象項目名】００１７
【補正方法】変更
【補正の内容】
【００１７】
請求項４記載の発明は、挟まれたポケットティッシュの切込み線の方向を長さ方向として、基板部の中央部分の長さを、その両側部分の長さよりも短くすることによって、中央部分をその両側部分よりも撓み易い易可撓性を有するように形成したものである。したがって、易可撓性を付与するために基板の中央部分の厚みを薄くするような面倒な加工が必要なく、余計なコストをかけずに易可撓性を付与することができる。
【手続補正２】
【補正対象書類名】特許請求の範囲
【補正対象項目名】請求項４
【補正方法】変更
【補正の内容】
【請求項４】
挟まれたポケットティッシュの切込み線の方向を長さ方向として、基板部の中央部分の長さを、その両側部分の長さよりも短くすることによって、中央部分をその両側部分よりも撓み易い易可撓性を有するように形成した請求項３記載のカバー。